(57)【要約】【課題】  多種のパソコンを対象にして、通気性と撥水性を持たせ、どのような形状のキーボードにも適合する固定法と、フリーサイズの膜体から任意な形の保護膜を切り出せる方法を用いて、簡単にキーボードを覆うことができること。【解決手段】  型紙を兼ねた台紙に、多種のキーボード形状を切断線として描き、この台紙には粘着材を添付したフリーサイズの膜体を貼り付けておき、型紙を取る要領で対象の形の保護膜を切り出せば、粘着材で張り付けるだけで、キーボードを簡単に覆う事ができるようにした。【選択図】図１
2006260506.tif 000002
【特許請求の範囲】
【請求項１】
パソコンのキーボードを保護するキーボード保護膜において、該膜体の上辺、下辺、左辺、右辺の、四辺の内、該上辺と該左辺が該右辺もしくは該下辺との二辺間、ないし該下辺と該右辺が該右辺もしくは上辺との二辺間に、夫々の端部に粘着材を添付することを特徴とするキーボード保護膜。
【請求項２】
前記膜体がキーボードの種類やキーパターン等が描かれ、もしくは台紙に貼り付けられ、対象の機種やキーボードサイズに適合する形が切り出し易く構成されたことを特徴とする、請求項１に示したキーボード保護膜。
【請求項３】
キーボードやキー及び指先への粘着性がなく、パソコンの放熱性を損なわずに静電気による埃の吸着しない材質と形状を備えたことを特徴とする、請求項１ないし２に示したキーボード保護膜。
【請求項４】
前記膜体は、撥水性及び通気性を持つ素材からなることを特徴とする、請求項１ないし２に示したキーボード保護膜。
【発明の詳細な説明】
【技術分野】
【０００１】  本発明は、ワープロやパソコン（以下、単にパソコン等と言う）のキーボードを、塵埃や飲み物等の飛散による、汚損や故障を避けるための保護膜であり、フリーサイズの膜体から対象のキーボードに適合する保護膜を切り出せば、該キーボードの好適位置に張り付けるだけで、簡単にキーボードを覆うことができるキーボード保護膜に関する。
【背景技術】
【０００２】  従来のキーボード保護膜は、パソコン等の機種毎のキー配列に合致するように、プラスチックシートに凹凸面を成形したものであり、キーボード防塵カバーなどの呼称で販売されている。これはパソコン等の機種毎に、異なる固有のキー形状とキー配列をプラスチックシート（以下、シートと言う）に成形したものであり、該シートをパソコン等のキーボードに被せたとき、該シートの凹部とキーボードの凸部が互いに合致して、完全に嵌り込むように構成されたものである。従って、パソコン等の機種又はキーボードの形状が異なった場合には、該シートとキーボードの凹凸面が一致しないため、該キーボード防塵カバーなどは、他機種への転用が甚だ困難であると言う欠点があった。【０００３】  然しながらパソコン等のモデルチェンジ後であっても、対象とする機種のシートを求める顧客のために、流通市場では長期間に亘り多種の該シートを在庫し、製造業者は金型を長期保存する必要があった。更にまた、多種のパソコン等を使用する学校や事業所等においては、該シートの予備を機種毎に多数取り揃えておく事は、資金と資源の著しい無駄を生んでいた。【０００４】  これらの欠陥をなくすための技術として、本願出願人は特開２００３−２０８８３０に於いて、キーボード枠体に粘着具を設け、どのようなキーボードにも張り付け可能な保護膜を提案した。特開２００３−２０８８３０の保護膜の一部をキーボード枠体に於いて粘着させると言う点を意識してか、保護膜を表裏二層構造とし、又は裏面部全面に粘着性を付与したキーボード用保護膜が市販されている。
【発明の開示】
【発明が解決しようとする課題】
【０００５】  ところが、こうした二層構造又は、粘着性を付与した保護膜は、実際に使用すると次のような問題点を持っていた。その第一点は、全面が粘着性層となっているため、この保護膜を張り付けるに当たって、全ての面が粘着性を持つため、キーボードと接触したところが、夫々くっつき易く、キーボードのタテヨコに平行に且つフラットに張り付けることが、非常に難しく取り扱い難かった。更に第二点は、全面が粘着性層となっているため、例えばキーボード枠体の粘着部分は、隙間なく接着されてしまい、パソコン本体の熱が逃げ場を失い、そのため熱で保護膜が曇ってしまうこともあった。
【課題を解決するための手段】
【０００６】  そこで本願では、略長方形の膜体の上辺、下辺、左辺、右辺の四辺の内、上辺が左辺か右辺と、若しくは下辺が左辺か右辺との二辺部のみを、一定間隔を置いて粘着部とする保護膜を考えた。こうした直角をなす二辺部を固定するようにすれば、保護膜全体を固定することができ、他の二辺部は通気性を促す役目を果たし、熱が溜まることはなかった。また固定するのは二辺部のみなので、この保護膜を台紙に貼り付け、その台紙にこの二辺の交点を基点にして、様々な大きさの略長方形のボード形状等を描いておけば、色々な種類のパソコンやキーボードに合わせて切り出して、対応することが可能であった。【０００７】  また、こうした構造をとるだけでなく、保護膜自体の素材が撥水性を持ち、且つ通気性を持つ樹脂素材を用いることで、上述した問題を解決するようにした。
【発明の効果】
【０００８】  本願発明の保護膜を用いれば、二辺部で固定するようになっており、しかもキーボード枠体に当たる部分のみ粘着する方式であるから、保護膜の取り付けが簡単にできる。【０００９】  また、固定箇所が二辺であり、他辺はフリーとなっているため、保護膜とキーボード枠体の間には適度な隙間ができ、通気性が良く熱が溜まらないので、保護膜が曇ることもなく非常に使い易い。【００１０】  本発明のキーボード保護膜によれば、損傷した保護膜はキーボード枠体から容易に引き剥がせるので、本案の膜体を用いれば、該キーボード枠体の適宜な位置に張り付けるだけで、簡単に張替えが可能になる。更に該膜体は多種のキーボードに適合するように、各種のキーボードやキーボード枠体の形や、メーカー別の標準形を描いた台紙に貼り付けているので、対象とするキーボードの形は鋏等で簡単に切り出せる。従って、従来のように機種毎に多種のキーボードカバーの在庫や、そのための保守管理の必要がなく、経済的にも資源的にも大きな節約ができる。
【発明を実施するための最良の形態】
【００１１】  本発明のキーボード保護膜の基本構成は、パソコンのキーボードを保護する膜体において、該膜体の端部に粘着材を添付しておき、該粘着材を用いて該キーボード枠体の好適位置に、該膜体を着脱自在に張り付けられるようにする。【００１２】  前記膜体は、対象とする機種やキーボードサイズ等に対応して、多種のキーボードやキーボード枠体の形状、またはメーカー別の標準形等が描かれた台紙に貼付けておき、目的の機種に適合する該膜体を、該台紙の上から鋏等で簡単に切り出せるようにした。【００１３】  更に該膜体は、キーやキーボードへの粘着性がなく、パソコンの放熱性を損なわずに滑らかなキータッチが可能であり、静電気による埃の吸着しない材質で、且つ適度な厚みを持ち鋏等で簡単に切り出せる、プラスチックフィルムが好適である。
【実施例】
【００１４】  以下、実施例に基づいて本発明を説明するが、発明の要旨を逸脱しない限りにおいて、これらの例に限定されるものではない。すなわち図１は、一般的なデスクトップ型パソコンのキーボードのイメージで表し、本発明による自在型キーボード保護膜の実施形態の一例で、キーボードおよび膜体の部分斜視図を示す。キーボード上には多数のキー１０が配置され、キーボード枠体８を形成している。膜体６は、該キーボード枠体８の形状に合わせて切り出され、右端部には粘着材２が添付され、これに対応する張り付け見込み部４が確保されている。この該粘着材２と直角方向には粘着材１があり、これに対応する張り付け見込み部５がある。そして該膜体６が、該キーボード枠体８を覆うべく、張り付け前のスタンバイ状態にあるところを示している。【００１５】  図２及び図３は、本発明によるキーボード保護膜の実施形態の一例を示し、夫々キーボード正面から見たところの部分拡大図である。図２では、膜体６の端部に粘着材２が添付され、該粘着材２の粘着面３がキーボード８に正対して、該キーボード枠体８に張り付け前のスタンバイ状態にある。該粘着面３には剥離紙を付着してあるから、取り扱い中に他への粘着性がなく問題ない。そして剥離紙を引き剥がせば、簡単に該キーボード枠体８へ張り付けることができる。ここでは該膜体６が、該キーボード枠体８に張り付けスタンバイの状態で、キー１０とストローク前のキー打面１０ａを示し、該膜体６は各キーの打面に平行し、スタンバイ状態にあることが分かる。【００１６】  図３は、キー１０に隣接するキーがストローク後のキー打面１０ｂとして示されている。ここでは打ち込まれた箇所の膜体６が、該キー打面１０ｂの位置まで下っている事が分かる。キーを打ち込んだ時に、該膜体６が該キー打面１０ｂの高さに沈み込んでも、粘着材２で固定されているから、該膜体６にはテンションが掛かることになる。従って該粘着材２の高さ（厚み）は、キー１０ａの打面と該キー打面１０ｂの高さの中間が好ましい。該粘着材２の高さ（厚み）の設計は、該キー１０ａと該キー１０ｂの中間にすると良い。さらに該膜体６は、最小限のテンションで機能するよう、適度な弾性を有するプラスチックフィルムが好適となる。【００１７】  一般的にデスクトップ型パソコン用のキーボードは、キーストロークが大きく、ノートパソコンの場合は、一般的に液晶画面を蓋とする構造のため、キー打面はキーボード枠体８の面と同程度の高さに作られ、キーストロークは小さいものである。従ってキー１０と該キーボード枠体８との段差は小さく、空気の移動する隙間も少ない。そのため、デスクトップ型の該キーボード枠体８には、ある程度の厚みを持つ棒状体の粘着材２が適しているが、ノート型の該キーボード枠体８には薄形で、テープ状の該粘着材２が好適である。更に述べれば、デスクトップ型パソコン用のキーボードのように、キーの高さが大きい場合は、該膜体６と該キーボード枠体８との間に大きな間隙が存在するから、キーを打ち込む度に、該膜体６がキー打面１０ｂの位置に沈み込んで、膜体６を煽るので空気の移動を助長し、ある程度の放熱性が期待できるものである。【００１８】  図４は、ノート型パソコンのキーボー��を表すイメージ図で、本発明によるキーボード保護膜の実施形態の一例として、ノート型パソコンの平面図を示している。ここでは、膜体１６がキーボード枠体１８の形状に合せ、タッチパッド１２に被さらないように、入り組んだ形に切り出され、張り付け前の位置にスタンバイしているところを示している。該キーボード枠体１８には、粘着材２２の相対位置に二点鎖線で囲まれた、該粘着材２２の貼り付け見込み部１４が示されている。該粘着材２２は該キーボード枠体１８のサイズ等により、添付数を考慮すればよい。【００１９】  該膜体１６の端部には粘着材２２が添付され、該キーボード枠体１８の相対する位置には、夫々の張り付け見込み部１４が確保されている事が分かる。そして主となる該粘着材２２は、好ましくはパソコンのエンターキーのある位置、即ち通常は該キーボード枠体１８の右端寄りに設けると良い。即ちエンターキーは、一般的に打ち込み頻度が最も高く、キータッチの度に該膜体１６が動き易いので、これを固定する位置は近いところが好ましく、その機能を損なわないよう張り付ければ、それでよい。【００２０】  前述した通り、ノートパソコンに於いては、該膜体１６が該キーボード枠体１８やキー２０等へ粘着すると、パソコン本体が発する熱の逃げ場がなくなり、放熱囲が阻害されて換気扇の作動時間を増大させる事になる。これは、バッテリーの消耗を著しく早める致命的な欠陥となるから、極力避けねばならない事である。本案の保護膜は、これらの問題点を全てクリヤーできるように設計している。【００２１】  図５は、台紙に貼り付けられたフリーサイズの膜体１６を通して見たところの、台紙上に描かれた切断線２４と粘着材２２の添付位置を示す。該切断線２４は多種のキーボードパターン等を描いているので、対象の該キーボード１８に適合する形を、型紙を取る要領で鋏等を用いて切り出せるところを示している。そして、切り出した該膜体１６の端部には粘着材２２が添付されているから、該粘着材２２の粘着面３から剥離紙を取り除いて、該キーボード枠体１８の好適位置に張り付けるだけで、簡単な張替えが可能である。【００２２】  該膜体１６の材質は適度な柔軟性と透明性を有し、自己粘着性のないプラスチック系のものであれば良い。例えばナイロンやエチレン酢ビのような材質の膜体を、例えばマスキングフィルム状にして型紙を兼ねた台紙に貼り合せておけば、例えば鋏などで任意の形状に切り出す際に甚だ便利である。すなわち、該台紙には弱い粘着性を付与してあり、これに保護膜として該膜体１６を貼り付けたのものが好適である。【００２３】  上記の型紙を兼ねた台紙には、例えばメーカー毎の数種のキーボード形状を、例えば色を変えた線などで、幾重にも印刷しておけば、一枚の台紙で数機種用の膜体に対応できる。また前述のような膜体が、静電気防止や光の反射を軽減させる、表面処理等が施されていれば、更に使い勝手が良くなるものである。【００２４】  また該粘着材２２としては、一般的に粘着性の余り強くないものが好適であり、例えばラテックス系やゲル化剤添加系のようなソフトな粘着性をもつものが、張り直しや繰り返しの張り付け使用には好適である。
【産業上の利用可能性】
【００２５】  以上詳述したように、本発明によればパソコン等の機種や形状に関係なく、フリーサイズの平面膜体から対象のキーボードに適合する保護膜を切り出せるので、該キーボードの好適位置に張り付けるだけで、簡単にキーボードを覆うことが可能である。従来のように多種に亙る在庫や製造の必要がなく、経済注と保守性を両立させ資源保護に有効である。
【図面の簡単な説明】
【００２６】
【図１】本発明の実施形態の一例を示すキーボードの部分斜視図である。
【図２】本発明の実施形態の一例を示すキーボード正面の部分拡大図である。
【図３】本発明の実施形態の一例を示すキーボード正面の部分拡大図である。
【図４】本発明の実施形態の一例を示すノート型パソコンの平面図である。
【図５】本発明の実施形態の一例を示す台紙に貼り付けた膜体の平面図である。
【符合の説明】
【００２７】  １、２、２２      粘着材
３                粘着面
４、５、１４      張り付け見込み部
６、１６          膜体
８、１８          キーボード
１０              キー
１０ａ            ストローク前のキー打面
１０ｂ            ストローク後のキー打面
１２              タッチパッド
２４              切断線
【図１】
2006260506.tif 000003
【図２】
2006260506.tif 000004
【図３】
2006260506.tif 000005
【図４】
2006260506.tif 000006
【図５】
2006260506.tif 000007